(57)【要約】【課題】カードが正しく装着されているか否かを検出できて小型薄型化にも好適なカード用コネクタを安価に提供すること。【解決手段】カード装着部２ａが形成されたハウジング２と、ハウジング２に設けられてカード１０の接触端子１１群に接触可能なコンタクト３群と、カード装着部２ａを覆う向きに回転する閉動作と逆向きに回転する開動作とが行えるようにハウジング２に回動可能に取り付けられたカバー８とを備えたコネクタ１であって、コンタクト３群は所定の接触端子１１（１１ａ）に接触可能な第１コンタクト３１および第２コンタクト３２を含み、カード１０がカード装着部２ａに装着されると、該接触端子１１を介して両コンタクト３１，３２が導通されたことによる信号が第１の外部接続部４１から出力される。また、導電性のカバー８を閉じてロック位置に配置させると、カバー８を介して一対の固定接点部６１，７１が導通されたことによる信号が第２の外部接続部６２から出力される。【選択図】図１４
2010079544.tif 000002
【特許請求の範囲】
【請求項１】
接触端子群を有するカードを装着させるためのカード装着部が形成されたハウジングと、このハウジングに設けられて前記接触端子群に接触可能なコンタクト群と、前記カード装着部を覆う向きに回転する閉動作と該カード装着部から離れる向きに回転する開動作とが行えるように前記ハウジングに回動可能に取り付けられたカバーとを備え、前記カードを前記カード装着部に装着することで前記接触端子群に前記コンタクト群を接触させると共に、前記カバーを所定の閉位置に配置させた状態で該カードが収納保持されるようにしたカード用コネクタであって、
前記コンタクト群が前記接触端子群のうちの１つである所定の前記接触端子に接触可能な第１コンタクトおよび第２コンタクトを含むと共に、前記カバーの少なくとも一部が導電性金属板からなり、かつ、前記第１コンタクトから導出されて外部回路に接続される第１の外部接続部と、前記カバーが前記所定の閉位置に配置されたときに該カバーに接触して導通される固定接点部と、この固定接点部から導出されて外部回路に接続される第２の外部接続部とを備えており、これら第１および第２の外部接続部と固定接点部とが前記ハウジングに設けられていることを特徴とするカード用コネクタ。
【請求項２】
請求項１の記載において、前記第２コンタクトから導出されて接地回路に接続される第１の接地端子部を備えており、この第１の接地端子部が前記ハウジングに設けられていることを特徴とするカード用コネクタ。
【請求項３】
請求項２の記載において、前記固定接点部が、前記所定の閉位置に配置された前記カバーの２箇所と別々に接触する第１固定接点部と第２固定接点部とからなり、前記第１固定接点部から前記第２の外部接続部が導出されていると共に、前記第２固定接点部から導出されて接地回路に接続される第２の接地端子部を備えており、この第２の接地端子部が前記ハウジングに設けられていることを特徴とするカード用コネクタ。
【請求項４】
請求項３の記載において、前記ハウジングの一側部の長手方向両端近傍に前記第１の外部接続部と前記第２の外部接続部とを配設すると共に、前記ハウジングの他側部の長手方向両端近傍に前記第１の接地端子部と前記第２の接地端子部とを配設したことを特徴とするカード用コネクタ。
【請求項５】
請求項１〜４のいずれか１項の記載において、前記カバーが１枚の導電性金属板を折り曲げて形成されており、このカバーの側部に前記固定接点部に接離可能な弾性片が延在していることを特徴とするカード用コネクタ。
【請求項６】
請求項１〜５のいずれか１項の記載において、前記カバーが前記閉動作の完了位置と前記所定の閉位置との間で前記ハウジングに対してスライド移動可能であると共に、前記所定の閉位置に存する前記カバーを前記ハウジングが係止するロック機構を備えていることを特徴とするカード用コネクタ。
【発明の詳細な説明】
【技術分野】
【０００１】
本発明は、例えは携帯電話機等の電子機器に用いられＩＣメモリーカード等のカードが装着されるカード用コネクタに係り、特に、カードの接触端子群に接触可能なコンタクト群が配設されたハウジングにカバーが開閉可能（回動可能）に取り付けられ、このカバーによってカードの脱落を防止できるようにしたカード用コネクタに関するものである。
【背景技術】
【０００２】
従来より、この種のカード用コネクタにおいては、カードが脱落の虞なく正しく装着されているか否かを検出して、カードと外部回路との間で不所望なデータ信号の授受が行われないようにし、もって誤操作に起因するデータ破壊や故障等が起こらないように配慮したものが提案されている（例えば、特許文献１参照）。
【０００３】
かかる従来のカード用コネクタでは、絶縁性の合成樹脂材料からなるカバーにカード格納部が形成されており、カバーが開状態のとき、このカード格納部に対してカードを挿抜可能である。また、カバーには、カード格納部にカードが正しく格納されると弾性変形するばね片が付設されている。カバーは一端部がハウジングに軸支されて開閉可能であると共に、閉状態のカバーがハウジングに対してスライド移動可能であり、閉じたカバーを所定位置へスライド移動させることによって該カバーがハウジングにロックされるようになっている。ハウジングには複数のコンタクトが固設されており、これらコンタクトの各接点部は閉状態のカバーによって覆われる位置に露出している。また、ハウジングの一側部には弾性変形可能な第１接点片と第２接点片とが接離可能に並設されている。そして、カードをカバーに挿入した後、カードを格納したままカバーを閉じて一方向へスライド移動させると、カードの片面に配設されている接触端子群がコンタクト群の各接点部に接触して電気的に接続されると共に、カバーの前記ばね片に駆動される第１接点片が第２接点片に接触して、カードが脱落の虞なく正しく装着されていることを示す検出信号が出力されるようになっている。すなわち、かかる従来のカード用コネクタは、カードがカバーに正しく格納され、かつカバーが閉じられて所定位置までスライド移動されないと、ばね片を介して第１接点片を第２接点片に接触させるという一連の動作が正しく行われないため、前記検出信号が出力されないようになっている。したがって、この検出信号が出力されたときだけ、カードと外部回路との間でデータ信号の授受が許可されるようにしておけば、誤操作に起因するデータ破壊や故障等が未然に防止できる。
【特許文献１】特許第３５４６３８７号公報
【発明の開示】
【発明が解決しようとする課題】
【０００４】
ところで、前述した従来のカード用コネクタでは、カードをカバーに格納させてから該カバーを閉じてスライド移動させることにより、カードが正しく装着されて外部回路との電気的接続が該コネクタを介して行えるようになるが、近年、携帯電話機等の電子機器において、カードをハウジングに装着してからカバーを閉じて脱落を防止するように構成したものが普及している。かかる構成のカード用コネクタの場合、金属板等からなる安価で薄いカバーを使用できるという利点があるものの、前述した従来のカード用コネクタのようにカードを格納させることで弾性変形するばね片をカバーに設けることができず、誤操作に起因するデータ破壊や故障等を回避するためには、カードが正しく装着されているか否かを検出する新たな機構が必要となる。
【０００５】
本発明は、このような従来技術の実情に鑑みてなされたもので、その目的は、カードをハウジングに装着してからカバーを閉じるという構造のもので、カードが正しく装着されているか否かを検出できて小型薄型化にも好適なカード用コネクタを安価に提供することにある。
【課題を解決するための手段】
【０００６】
上記の目的を達成するために、本発明は、接触端子群を有するカードを装着させるためのカード装着部が形成されたハウジングと、このハウジングに設けられて前記接触端子群に接触可能なコンタクト群と、前記カード装着部を覆う向きに回転する閉動作と該カード装着部から離れる向きに回転する開動作とが行えるように前記ハウジングに回動可能に取り付けられたカバーとを備え、前記カードを前記カード装着部に装着することで前記接触端子群に前記コンタクト群を接触させると共に、前記カバーを所定の閉位置に配置させた状態で該カードが収納保持されるようにしたカード用コネクタにおいて、前記コンタクト群が前記接触端子群のうちの１つである所定の前記接触端子に接触可能な第１コンタクトおよび第２コンタクトを含むと共に、前記カバーの少なくとも一部が導電性金属板からなり、かつ、前記第１コンタクトから導出されて外部回路に接続される第１の外部接続部と、前記カバーが前記所定の閉位置に配置されたときに該カバーに接触して導通される固定接点部と、この固定接点部から導出されて外部回路に接続される第２の外部接続部とを備えており、これら第１および第２の外部接続部と固定接点部とが前記ハウジングに設けられているという構成にした。
【０００７】
このように構成されたカード用コネクタは、カードをハウジングのカード装着部に装着することによって接触端子群にコンタクト群を接触させることができ、このとき、所定の接触端子に第１および第２コンタクトが接触するため、第１および第２コンタクトが導通されたことによる信号に基づいて、カードがカード装着部に正しく装着されているか否かを検出できる。また、カード装着部に装着されたカードを覆うようにカバーを閉じて所定の閉位置に配置させると、カードが固定接点部に接触して第２の外部接続部と導通されたことによる信号に基づいて、カバーが所定の閉位置に配置されているか否かを検出できる。すなわち、このカード用コネクタは、カードがカード装着部に正しく装着され、かつカバーが所定の閉位置に配置されたときにだけ、第１の外部接続部や第２の外部接続部から所望の検出信号を出力させることができるため、誤操作に起因するデータ破壊や故障等を未然に防止できる。しかも、カバーにカード格納部を設ける必要がないため、金属板等からなる安価で薄いカバーを使用できて小型薄型化が図りやすくなる。
【０００８】
上記の構成のカード用コネクタにおいて、第２コンタクトから導出されて接地回路に接続される第１の接地端子部を備えており、この第１の接地端子部がハウジングに設けられていると、カードの接地を行いつつ該カードが正しく装着されているか否かを検出できるため好ましい。
【０００９】
また、上記の構成において、固定接点部が、所定の閉位置に配置されたカバーの２箇所と別々に接触する第１固定接点部と第２固定接点部とからなり、第１固定接点部から第２の外部接続部が導出されていると共に、第２固定接点部から導出されて接地回路に接続される第２の接地端子部を備えており、この第２の接地端子部がハウジングに設けられていると、カバーを接地できるのみならず、ハウジングに計４個の取付端子部（第１および第２の外部接続部と第１および第２の接地端子部）を分散して配設することができるため、カード用コネクタを実装基板上に安定した姿勢で取り付けることができる。
【００１０】
例えば、ハウジングの一側部の長手方向両端近傍に第１の外部接続部と第２の外部接続部とを配設すると共に、ハウジングの他側部の長手方向両端近傍に第１の接地端子部と第２の接地端子部とを配設しておけば、４個の取付端子部がバランスよく分散配置されるため、カード用コネクタを実装基板上に極めて安定した姿勢で取り付けることができる。
【００１１】
また、上記の構成において、カバーが１枚の導電性金属板を折り曲げて形成されており、このカバーの側部に固定接点部に接離可能な弾性片が延在していると、カバーを所定の閉位置に配置させたときに弾性片を固定接点部に確実に接触させうる簡素な構造が安価に実現できるため好ましい。
【００１２】
また、上記の構成において、カバーが閉動作の完了位置と所定の閉位置との間でハウジングに対してスライド移動可能であると共に、所定の閉位置に存するカバーをハウジングが係止するロック機構を備えていると、このロック機構によってハウジングに装着したカードの脱落を確実に防止できるため好ましい。
【発明の効果】
【００１３】
本発明のカード用コネクタによれば、カードをハウジングのカード装着部に正しく装着すると所定の接触端子に第１および第２コンタクトが接触するため、両コンタクトが導通されたことによる信号に基づいて、カードがカード装着部に正しく装着されているか否かを検出できる。また、カード装着部に装着されたカードを覆うようにカバーを閉じて所定の閉位置に配置させると、カードが固定接点部に接触して第２の外部接続部と導通されたことによる信号に基づいて、カバーが所定の閉位置に配置されているか否かを検出できる。すなわち、このカード用コネクタは、カードがカード装着部に正しく装着され、かつカバーが所定の閉位置に配置されたときにだけ、第１の外部接続部や第２の外部接続部から所望の検出信号を出力させることができるため、誤操作に起因するデータ破壊や故障等を未然に防止できる。しかも、カバーにカード格納部を設ける必要がないため、金属板等からなる安価で薄いカバーを使用できて小型薄型化が図りやすくなる。
【発明を実施するための最良の形態】
【００１４】
発明の実施の形態について図面を参照して説明すると、図１は本発明の実施形態例に係るカード用コネクタ（以下、単に「コネクタ」と称する）のカバーを開いた状態を示す斜視図、図２は図１に示すコネクタの上面図、図３は図１に示すコネクタの底面図、図４は図１に示すコネクタの側面図、図５は図１に示すコネクタの正面図、図６は図１に示すコネクタのカバーを閉じた状態を示す斜視図、図７は図６に示すコネクタのカバーをロック位置までスライド移動させた状態を示す斜視図、図８は図１に示すコネクタのハウジングにカードを装着した状態を示す斜視図、図９は図８に対応する上面図、図１０は図８に対応する底面図、図１１は図８に対応する正面図、図１２は図８に示すコネクタのカバーを閉じてロック位置までスライド移動させた状態を示す斜視図、図１３は図１２に対応する上面図、図１４は図１２に対応する底面図、図１５は図１２に対応する側面図、図１６は本実施形態例に係るコネクタのコンタクト群を示す斜視図、図１７は図１６に示すコンタクト群の上面図、図１８は図１６に示すコンタクト群の正面図、図１９は本実施形態例に係るコネクタに装着されるカードの底面図である。
【００１５】
図１〜図５に示すように、本実施形態例に係るコネクタ１は、絶縁性の合成樹脂材料を成形して形成されたハウジング２と、細長い導電性金属板からなりハウジング２に固設された複数のコンタクト３と、コンタクト３群と同じ導電性金属板を打ち抜いて形成されハウジング２に固設された４片のリード板４〜７（図１６〜図１８参照）と、導電性金属板を折り曲げてフォーミングされたカバー８とによって主に構成されている。なお、コンタクト３群およびリード板４〜７はインサート成形技術によってハウジング２に固設されており、カバー８は一端部がハウジング２に軸支されている。このコネクタ１は図示せぬ電子機器の実装基板に半田付け等によって実装され、図１２〜図１５に示すようにカード１０を装着してカバー８を閉じた状態で使用されるが、図８〜図１１に示すようにカバー８を開いてカード１０を取り外すこともできる。また、カード１０の底面には図１９に示すように複数の接触端子１１が配設されている。
【００１６】
ハウジング２には、略平行に延びて対向する一対の側壁部２１，２２の間にカード装着部２ａが形成されており、このカード装着部２ａにカード１０が装着される。一方の側壁部２２にはカード装着部２ａへ向かってせり出す幅広部２２ｄや突起部２２ｅが形成されており、これら幅広部２２ｄや突起部２２ｅによってカード１０が位置決めできるようになっている。また、側壁部２１，２２の外壁面には、第１係止部２１ａ，２２ａと第２係止部２１ｂ，２２ｂと傾斜突条部２１ｃ，２２ｃがそれぞれ突設されている。さらに、側壁部２１，２２の長手方向一端部（後端部）には長孔状の軸孔２３が形成されており、この軸孔２３にカバー８の支軸８１が回動可能かつ該長手方向へスライド移動可能に取り付けられている。
【００１７】
コンタクト３は帯状に形成されて一端部に接点部３ａを有し、この一端部側が斜め上方へ延びて弾性変形可能となっている。図１に示すようにカード１０が装着されていないとき、各コンタクト３の接点部３ａはハウジング２のカード装着部２ａ内に入り込んでいる。これら複数のコンタクト３は、カード１０がカード装着部２ａに正しく装着されると、各接点部３ａが該カード１０の対応する接触端子１１と弾接するように配列されている。ただし、コンタクト３群のうち隣り合う第１コンタクト３１と第２コンタクト３２は、同一の接触端子１１（図中符号１１ａで示す接地用接触端子）と弾接するように接点部３ａどうしが近接させてある。なお、第１および第２コンタクト３１，３２を除く残余のコンタクト３は、接点部３ａ側とは逆側の端部３ｂが電子機器の実装基板上に搭載されて半田付けされるようになっている。
【００１８】
リード板４は一端部が第１コンタクト３１と連続しており、他端部には外部回路と接続される第１の外部接続部４１が形成されている。この第１の外部接続部４１はハウジング２の側壁部２１の前端近傍から外方へ突出しており、電子機器の実装基板上に搭載されて半田付けされる取付端子部となる。同様に、リード板５は一端部が第２コンタクト３２と連続しており、他端部には接地回路と接続される第１の接地端子部５１が形成されている。この第１の接地端子部５１はハウジング２の側壁部２２の前端近傍から外方へ突出しており、電子機器の実装基板上に搭載されて強固に半田付けされる取付端子部となる。
【００１９】
リード板６の一端部には第１固定接点部６１が形成されており、リード板６の他端部には外部回路と接続される第２の外部接続部６２が形成されている。このリード板６はハウジング２の側壁部２１に固設されており、第１の外部接続部４１と傾斜突条部２１ｃとの間に第１固定接点部６１が露出していると共に、側壁部２１の後端近傍から外方へ第２の外部接続部６２が突出しており、この第２の外部接続部６２が電子機器の実装基板上に搭載されて強固に半田付けされる取付端子部となる。同様に、リード板７の一端部には第２固定接点部７１が形成されており、リード板７の他端部には接地回路と接続される第２の接地端子部７２が形成されている。このリード板７はハウジング２の側壁部２２に固設されており、第１の接地端子部５１と傾斜突条部２２ｃとの間に第２固定接点部７１が露出していると共に、側壁部２２の後端近傍から外方へ第２の接地端子部７２が突出しており、この第２の接地端子部７２が電子機器の実装基板上に搭載されて強固に半田付けされる取付端子部となる。
【００２０】
カバー８は１枚の導電性金属板に打ち抜き加工や折り曲げ加工等を施して形成されており、その支軸８１がハウジング２に回動可能に取り付けられているため、カバー８はカード装着部２ａを覆う向きに回転する閉動作とカード装着部２ａから離れる向きに回転する開動作とが行えるようになっている。また、カバー８は、図６に示す閉動作の完了位置と図７に示す所定の閉位置（ロック位置）との間でハウジング２に対してスライド移動可能であり、閉動作を完了させたカバー８は、その一側部が側壁部２１の外側に配置され他側部が側壁部２２の外側に配置される。このカバー８の一側部には、第１固定接点部６１に接離可能な弾性片８２が延在していると共に、第１係止部２１ａに係脱可能なフック片８３と第２係止部２１ｂに係脱可能なフック片８４とが略Ｌ字状に形成されている。同様に、カバー８の他側部には、第２固定接点部７１に接離可能な弾性片８５が延在していると共に、第１係止部２２ａに係脱可能なフック片８６と第２係止部２２ｂに係脱可能なフック片８７とが略Ｌ字状に形成されている。後述するように、カバー８が閉動作を完了させた図６に示す状態において、弾性片８２，８５は固定接点部６１，７１と接触しておらず、かつフック片８３，８６は第１係止部２１ａ，２２ａに係止されておらず、かつフック片８４，８７は第２係止部２１ｂ，２２ｂに係止されていない。そして、このカバー８を図７に示す所定の閉位置までスライド移動させることによって、弾性片８２，８５が固定接点部６１，７１と接触し、かつ第１係止部２１ａ，２２ａがフック片８３，８６を係止し、第２係止部２１ｂ，２２ｂがフック片８４，８７を係止するようになっている。つまり、図７に示すカバー８はロック位置に配置されてハウジング２に対し勝手に移動できないようになっている。なお、ハウジング２の第１係止部２１ａ，２２ａおよび第２係止部２１ｂ，２２ｂとカバー８のフック片８３，８４，８６，８７は、ロック位置に存するカバー８をハウジング２に係止させるロック機構を構成している。
【００２１】
次に、このように構成されたコネクタ１にカード１０を装着する際の手順について説明する。まず、図１〜図５に示すように、カバー８を開いてハウジング２のカード装着部２ａを露出させた後、図８〜図１１に示すように、カード装着部２ａにカード１０を装着する。このとき、カード１０の一隅の切欠き部１０ａがハウジング２の幅広部２２ｄによって位置決めされると共に、カード１０の切欠き部１０ａ近傍の凹部１０ｂがハウジング２の突起部２２ｅによって位置決めされるため、カード装着部２ａにカード１０を正しく装着することは容易である。そして、カード１０が正しく装着されると、その接触端子１１群がそれぞれ対応するコンタクト３の接点部３ａに接触するため、接触端子１１群とコンタクト３群とが電気的に接続される。その結果、所定の接触端子１１（接地用接触端子１１ａ）を介して第１コンタクト３１と第２コンタクト３２とが導通されたことによる信号（これを「第１検出信号」と称する）が第１の外部接続部４１から出力され、この第１検出信号の有無に基づいて、カード１０がカード装着部２ａに正しく装着されているか否かを検出できる。ただし、この状態でカバー８はまだ開いており、弾性片８２，８５が固定接点部６１，７１に接触していないため、両固定接点部６１，７１どうしは非導通状態に保たれている。したがって、両固定接点部６１，７１がカバー８を介して導通されたことによる信号（これを「第２検出信号」と称する）が第２の外部接続部６２から出力されることはない。本実施形態例では第１検出信号と第２検出信号が共に出力されたときに、第１および第２コンタクト３１，３２を除くコンタクト３群を介して行われるカード１０と外部回路との間のデータ信号の授受が許可されるように設定してあるため、この時点ではまだデータ信号の授受は実行されない。
【００２２】
こうしてハウジング２のカード装着部２ａにカード１０を装着したなら、支軸８１を中心にカバー８を閉方向に回転させることによってカード装着部２ａをカバー８にて覆い、さらにこのカバー８をハウジング２の前端側へスライド移動させることによって、図１２〜図１５に示すようにカバー８をハウジング２にロックさせる。すなわち、かかるスライド移動によってカバー８の弾性片８２，８５がそれぞれハウジング２の傾斜突条部２１ｃ，２２ｃを乗り越えて固定接点部６１，７１に弾接すると共に、ハウジング２の第１係止部２１ａ，２２ａがそれぞれフック片８３，８６を係止し、かつ第２係止部２１ｂ，２２ｂがそれぞれフック片８４，８７を係止するため、カバー８は図１２〜図１５に示す所定の閉位置（ロック位置）においてハウジング２に係止されたロック状態となっている。それゆえ、この状態で、ハウジング２に装着されているカード１０の脱落はカバー８によって確実に阻止されている。また、ロック状態のカバー８はカード１０の上面に当接してコンタクト３群を若干押し撓めているため、コンタクト３群が接触端子１１群に弾接して十分な接触圧が得られるようになっている。さらに、カバー８がロック位置に配置されると、弾性片８２が第１固定接点部６１に弾接し弾性片８５が第２固定接点部７１に弾接するため、両固定接点部６１，７１がカバー８を介して導通されたことによる第２検出信号が第２の外部接続部６２から出力され、この第２検出信号の有無に基づいて、カバー８が所定の閉位置に配置されているか否かを検出できる。そして、前述したように、第１検出信号と第２検出信号が共に出力された場合には、カード１０が脱落の虞なく正しく装着されているものと確認できるため、カード１０と外部回路との間のデータ信号の授受が許可されるようになっている。
【００２３】
以上説明したように本実施形態例に係るコネクタ１は、カバー８を開いてカード１０をハウジング２のカード装着部２ａに装着することによって接触端子１１群にそれぞれ対応するコンタクト３を接触させることができ、このとき所定の接触端子１１（接地用接触端子１１ａ）に第１および第２コンタクト３１，３２が接触するため、第１および第２コンタクト３１，３２が導通されたことにより出力される第１検出信号に基づいて、カード１０がカード装着部２ａに正しく装着されていることを検出できる。つまり、カード１０がカード装着部２ａに未装着または正しく装着されていないときには、第１および第２コンタクト３１，３２どうしが短絡されないため第１検出信号は出力されない。また、カード装着部２ａに装着されたカード１０を覆うようにカバー８を閉じ、このカバー８を所定の閉位置（ロック位置）までスライド移動させると、カバー８の弾性片８２，８５が固定接点部６１，７１に接触するため、両固定接点部６１，７１がカバー８を介して導通されたことにより出力される第２検出信号に基づいて、カバー８がロック位置でハウジング２にロックされていることを検出できる。つまり、カバー８が閉じていないか、または閉じていてもロック位置に配置されていないときには、第１および第２固定接点部６１，７１どうしが短絡されないため第２検出信号は出力されない。そして、第１検出信号と第２検出信号が共に出力されてカード１０が脱落の虞なく正しく装着されていることが確認されたときだけ、カード１０と外部回路との間のデータ信号の授受が許可されるようにしてあるため、このコネクタ１は誤操作に起因するデータ破壊や故障等を未然に防止できる。
【００２４】
また、このコネクタ１は、カード装着部２ａに装着されたカード１０の接地用接触端子１１ａと接触する第２コンタクト３２から第１の接地端子部５１が導出されており、この第１の接地端子部５１が接地回路と接続されるため、カード１０の接地を行いつつ、このカード１０が正しく装着されているか否かを検出できる。しかも、このコネクタ１は、ロック位置に配置されたカバー８と接触する第２固定接点部７１から第２の接地端子部７２が導出されており、この第２の接地端子部７２が接地回路と接続されるため、カバー８の接地を行いつつ、このカバー８がロック位置に配置されているか否かを検出できる。すなわち、このコネクタ１は、カード１０が脱落の虞なく正しく装着されているか否かを検出する機構を利用してカード１０とカバー８とが接地できるため、構造を複雑化することなくカード装着状態の検出と接地対策とが行えるようになっている。
【００２５】
また、このコネクタ１は、カバー８が１枚の導電性金属板を折り曲げて形成されて両側部に弾性片８２，８５を有しており、このカバー８を所定の閉位置（ロック位置）にスライド移動させると、弾性片８２，８５がそれぞれ傾斜突条部２１ｃ，２２ｃを乗り越えて固定接点部６１，７１に弾接するように構成されているため、カバー８をロック位置に配置させた状態で弾性片８２，８５を固定接点部６１，７１に確実に接触させることができると共に、カバー８が不用意に逆向きにスライド移動してしまう虞がない。しかも、カード格納部が不要で安価かつ薄いカバー８を使用できるため、このコネクタ１は小型薄型化が図りやすく製造コストも抑制しやすい。
【００２６】
また、このコネクタ１は、ハウジング２の一側部の長手方向両端近傍に第１の外部接続部４１と第２の外部接続部６２とを配設し、ハウジング２の他側部の長手方向両端近傍に第１の接地端子部５１と第２の接地端子部７２とを配設している。したがって、バランスよく分散配置されたこれら４個の取付端子部（第１および第２の外部接続部４１，６２と第１および第２の接地端子部５１，７２）によってハウジング２を実装基板上に極めて安定した姿勢で取り付けることができる。
【００２７】
なお、上記の実施形態例では、リード板５とリード板７とが不連続な場合について説明したが、両リード板５，７が連続したものであってもよく、その場合、第２コンタクト３２および第１の接地端子部５１と第２固定接点部７１および第２の接地端子部７２とは常時導通されて接地回路に接続される。この場合、カード１０がカード装着部２ａに装着されると共に、カバー８が所定の閉位置に配置されると、第１の外部接続部４１と第２の外部接続部６２とが短絡されることになり、この短絡を検出することで、カード１０のカード装着部２ａへの正しい装着とカバー８の所定の閉位置への配置とを同時に検出することができるものとなる。
【００２８】
また、上記の実施形態例では、カバー８に接離可能な第１固定接点部６１と第２固定接点部７１とを備え、第１固定接点部６１から第２の外部接続部６２が導出されて第２固定接点部７１から第２の接地端子部７２が導出されている場合について説明したが、カバー８に常時導通される接地端子部を備えていれば、カバー８が第１固定接点部６１のみに接離するという構成にすることも可能である。
【００２９】
また、上記の実施形態例では、カバー８が閉動作の完了位置とロック位置との間でハウジング２に対してスライド移動可能な場合について説明したが、閉動作が完了した時点でカバー８がハウジング２にロックされるように構成することも可能である。
【図面の簡単な説明】
【００３０】
【図１】本発明の実施形態例に係るコネクタのカバーを開いた状態を示す斜視図である。
【図２】図１に示すコネクタの上面図である。
【図３】図１に示すコネクタの底面図である。
【図４】図１に示すコネクタの側面図である。
【図５】図１に示すコネクタの正面図である。
【図６】図１に示すコネクタのカバーを閉じた状態を示す斜視図である。
【図７】図６に示すコネクタのカバーをロック位置までスライド移動させた状態を示す斜視図である。
【図８】図１に示すコネクタのハウジングにカードを装着した状態を示す斜視図である。
【図９】図８に対応する上面図である。
【図１０】図８に対応する底面図である。
【図１１】図８に対応する正面図である。
【図１２】図８に示すコネクタのカバーを閉じてロック位置までスライド移動させた状態を示す斜視図である。
【図１３】図１２に対応する上面図である。
【図１４】図１２に対応する底面図である。
【図１５】図１２に対応する側面図である。
【図１６】本実施形態例に係るコネクタのコンタクト群を示す斜視図である。
【図１７】図１６に示すコンタクト群の上面図である。
【図１８】図１６に示すコンタクト群の正面図である。
【図１９】本実施形態例に係るコネクタに装着されるカードの底面図である。
【符号の説明】
【００３１】
１  カード用コネクタ（コネクタ）
２  ハウジング
２ａ  カード装着部
３  コンタクト
３ａ  接点部
４〜７  リード板
８  カバー
１０  カード
１１  接触端子
１１ａ  接地用接触端子
２１ａ，２２ａ  第１係止部（ロック機構）
２１ｂ，２２ｂ  第２係止部（ロック機構）
３１  第１コンタクト
３２  第２コンタクト
４１  第１の外部接続部
５１  第１の接地端子部
６１  第１固定接点部
６２  第２の外部接続部
７１  第２固定接点部
７２  第２の接地端子部
８１  支軸
８３，８４，８６，８７  フック片（ロック機構）
８２，８５  弾性片
【図１】
2010079544.tif 000003
【図２】
2010079544.tif 000004
【図３】
2010079544.tif 000005
【図４】
2010079544.tif 000006
【図５】
2010079544.tif 000007
【図６】
2010079544.tif 000008
【図７】
2010079544.tif 000009
【図８】
2010079544.tif 000010
【図９】
2010079544.tif 000011
【図１０】
2010079544.tif 000012
【図１１】
2010079544.tif 000013
【図１２】
2010079544.tif 000014
【図１３】
2010079544.tif 000015
【図１４】
2010079544.tif 000016
【図１５】
2010079544.tif 000017
【図１６】
2010079544.tif 000018
【図１７】
2010079544.tif 000019
【図１８】
2010079544.tif 000020
【図１９】
2010079544.tif 000021